(57)【要約】【課題】コンテンツ記録システム、コンテンツ記録方法、コンテンツ記録装置、およびコンテンツ受信装置を提供すること。【解決手段】コンテンツデータを記録するコンテンツ記録装置と接続されるコンテンツ受信装置に、前記コンテンツデータを受信する受信部と、前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定する記録フォルダ指定部と、前記コンテンツ記録装置に内蔵される記憶媒体の、前記記録フォルダ指定部により指定されたフォルダに前記コンテンツデータが記録されるように、該コンテンツデータを送信する送信部と、を設ける。【選択図】図３
2009113610.tif 000002
【特許請求の範囲】
【請求項１】
コンテンツデータを受信するコンテンツ受信装置と、前記コンテンツ受信装置により受信された前記コンテンツデータを記録するコンテンツ記録装置と、を含むコンテンツ記録システムであって：
前記コンテンツ受信装置は、
前記コンテンツデータを送信する送信部と；
前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定する記録フォルダ指定部と；
を備え、
前記コンテンツ記録装置は、
前記専用フォルダおよび前記通常フォルダを含む記憶部と；
前記送信部から送信された前記コンテンツデータを、前記記憶部のうちで前記記録フォルダ指定部により指定されたフォルダに記録する記録部と；
利用者認証を行なう認証部と；
前記認証部により利用者が正当な権限を有することが認証された場合、前記記憶部の前記専用フォルダに記録されている前記コンテンツデータを出力する制御部と；
を備えるコンテンツ記録システム。
【請求項２】
前記コンテンツ受信装置は、利用者による前記コンテンツデータに対する視聴制限の設定操作が行われる入力部をさらに備える、請求項１に記載のコンテンツ記録システム。
【請求項３】
前記コンテンツ受信装置は、専用フォルダを有さないコンテンツ記録装置に対しては視聴制限が設定されている前記コンテンツデータが送信されないよう制御する送信制御部をさらに備える、請求項１に記載のコンテンツ記録システム。
【請求項４】
前記コンテンツ記録装置は、前記コンテンツ受信装置から送信された視聴制限が設定されている前記コンテンツデータを暗号化する暗号化部をさらに備え、
前記記録部は、前記前記暗号化部により暗号化された前記コンテンツデータを前記記憶部の前記専用フォルダに記録する、請求項１に記載のコンテンツ記録システム。
【請求項５】
前記記憶部には、視聴制限の程度ごとに複数の専用フォルダが含まれ、
前記記録フォルダ指定部は、視聴制限が設定されている前記コンテンツデータの記録先として、前記コンテンツデータの視聴制限の程度に応じた専用フォルダを指定する、請求項１に記載のコンテンツ記録システム。
【請求項６】
コンテンツデータを受信するステップと；
前記コンテンツデータに視聴制限が設定されている場合に前記コンテンツデータの記録先として専用フォルダを指定し、前記コンテンツデータに視聴制限が設定されていない場合に該コンテンツデータの記録先として通常フォルダを指定するステップと；
前記専用フォルダおよび前記通常フォルダを含む記憶媒体の指定されたフォルダへ前記コンテンツデータを記録するステップと；
利用者認証を行なうステップ；
利用者が正当な権限を有することが認証された場合、前記専用フォルダに記録されている前記コンテンツデータを出力するステップと；
を含む、コンテンツ記録方法。
【請求項７】
コンテンツデータを受信するコンテンツ受信装置と接続されるコンテンツ記録装置であって；
前記コンテンツ受信部から記録先のフォルダが指定された前記コンテンツデータを受信する受信部と；
専用フォルダおよび通常フォルダを含む記憶部と；
前記受信部により受信された前記コンテンツデータを、前記記憶部のうちで指定されている記録先のフォルダに記録する記録部と；
利用者認証を行なう認証部と；
前記認証部により利用者が正当な権限を有することが認証された場合、前記記憶部の前記専用フォルダに記録されている前記コンテンツデータを出力する制御部と；
を備えるコンテンツ記録装置。
【請求項８】
コンテンツデータを記録するコンテンツ記録装置と接続されるコンテンツ受信装置であって：
前記コンテンツデータを受信する受信部と；
前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定する記録フォルダ指定部と；
前記コンテンツ記録装置に内蔵される記憶媒体の、前記記録フォルダ指定部により指定されたフォルダに前記コンテンツデータが記録されるように、前記コンテンツデータを送信する送信部と；
を備える、コンテンツ受信装置。
【発明の詳細な説明】
【技術分野】
【０００１】
本発明は、コンテンツ記録システム、コンテンツ記録方法、コンテンツ記録装置、およびコンテンツ受信装置に関する。
【背景技術】
【０００２】
近日、家庭内の機器を相互に接続してホームネットワークを構築する技術が注目を集めている。家庭内の機器としては、例えば、ＰＣ（Ｐｅｒｓｏｎａｌ  Ｃｏｍｐｕｔｅｒ）、テレビジョン（ＴＶ）、映像や音声などのコンテンツデータを記憶しているコンテンツ記憶装置、およびコンテンツデータを再生するコンテンツ再生装置などがあげられる。【０００３】
また、暴力や性描写を含むコンテンツデータを例えば１８歳未満の子供に視聴させないために、コンテンツデータには視聴制限が設定されている場合がある。この場合、子供が利用するコンテンツ再生装置に、視聴制限が設定されているコンテンツデータの再生を禁止することで、子供を有害なコンテンツデータから保護することができる。【０００４】
さらに、特許文献１には、視聴制限が設定されずに放送されたコンテンツデータに対して視聴制限を自動的に設定するデータ処理装置が記載されている。かかるデータ処理装置によれば、視聴制限が設定されずに放送されたコンテンツデータであっても視聴を制限することが可能である。【０００５】
【特許文献１】特開２００６−１８６９８１号公報
【発明の開示】
【発明が解決しようとする課題】
【０００６】
しかし、従来のデータ処理装置では、単にコンテンツデータに視聴制限が設定されるのみであるため、実際に利用者からコンテンツリストやコンテンツデータの要求があった場合、コンテンツデータごとに視聴制限が設定されているか否かを判断する必要があった。【０００７】
そこで、本発明は、上記問題に鑑みてなされたものであり、本発明の目的とするところは、視聴制限が設定されているコンテンツデータと視聴制限が設定されていないコンテンツデータを異なるフォルダに記録することが可能な、新規かつ改良されたコンテンツ記録システム、コンテンツ記録方法、コンテンツ記録装置、およびコンテンツ受信装置を提供することにある。
【課題を解決するための手段】
【０００８】
上記課題を解決するために、本発明のある観点によれば、コンテンツデータを受信するコンテンツ受信装置と、前記コンテンツ受信装置により受信された前記コンテンツデータを記録するコンテンツ記録装置と、を含むコンテンツ記録システムが提供される。より詳細に説明すると、前記コンテンツ受信装置は、前記コンテンツデータを送信する送信部と、前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定する記録フォルダ指定部と、を備える。また、前記コンテンツ記録装置は、前記専用フォルダおよび前記通常フォルダを含む記憶部と、前記送信部から送信された前記コンテンツデータを、前記記憶部のうちで前記記録フォルダ指定部により指定されたフォルダに記録する記録部と、利用者認証を行なう認証部と、前記認証部により利用者が正当な権限を有することが認証された場合、前記記憶部の前記専用フォルダに記録されている前記コンテンツデータを出力する制御部と、を備える。【０００９】
かかる構成においては、視聴制限が設定されている前記コンテンツデータが記憶部の専用フォルダに記録部により記録され、視聴制限が設定されていない前記コンテンツデータが記憶部の通常フォルダに記録部により記録される。したがって、制御部は、認証部により利用者が正当な権限を有することが認証された場合に専用フォルダに記録されている前記コンテンツデータを出力することにより、視聴制限が設定されているコンテンツデータの視聴を制限することができる。【００１０】
前記コンテンツ受信装置は、利用者による前記コンテンツデータに対する視聴制限の設定操作が行われる入力部をさらに備えてもよい。かかる構成においては、視聴制限が設定されていないコンテンツデータが受信された場合でも、利用者が視聴制限の設定操作を入力部に対して行うことにより、記録部に該コンテンツデータを記憶部の専用フォルダにきろくさせることができる。【００１１】
前記コンテンツ受信装置は、専用フォルダを有さないコンテンツ記録装置に対しては視聴制限が設定されている前記コンテンツデータが送信されないよう制御する送信制御部をさらに備えてもよい。かかる構成においては、視聴制限が設定されているコンテンツデータの視聴をより確実に制限することができる。【００１２】
前記コンテンツ記録装置は、前記コンテンツ受信装置から送信された視聴制限が設定されている前記コンテンツデータを暗号化する暗号化部をさらに備え、前記記録部は、前記前記暗号化部により暗号化されたコンテンツデータを前記記憶部の前記専用フォルダに記録してもよい。かかる構成においては、不当に記憶部の専用フォルダからコンテンツデータが読み出された場合であっても、該コンテンツデータは暗号化されているため、該コンテンツデータの流出および不当な視聴を防止することができる。【００１３】
前記記憶部には、視聴制限の程度ごとに複数の専用フォルダが含まれ、前記記録フォルダ指定部は、視聴制限が設定されているコンテンツデータの記録先として、該コンテンツデータの視聴制限の程度に応じた専用フォルダを指定してもよい。かかる構成においては、より柔軟にコンテンツデータの視聴を制限することができる。【００１４】
また、上記課題を解決するために、本発明の別の観点によれば、コンテンツデータを受信するステップと、前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定するステップと、前記専用フォルダおよび前記通常フォルダを含む記憶媒体の指定されたフォルダへ前記コンテンツデータを記録するステップと、利用者認証を行なうステップ、利用者が正当な権限を有することが認証された場合、前記専用フォルダに記録されている前記コンテンツデータを出力するステップと、を含むコンテンツ記録方法が提供される。【００１５】
また、上記課題を解決するために、本発明の別の観点によれば、コンテンツデータを受信するコンテンツ受信装置と接続されるコンテンツ記録装置であって、前記コンテンツ受信部から記録先のフォルダが指定された前記コンテンツデータを受信する受信部と、専用フォルダおよび通常フォルダを含む記憶部と、前記受信部により受信された前記コンテンツデータを、前記記憶部のうちで指定されている記録先のフォルダに記録する記録部と、利用者認証を行なう認証部と、前記認証部により利用者が正当な権限を有することが認証された場合、前記記憶部の前記専用フォルダに記録されている前記コンテンツデータを出力する制御部と、を備えるコンテンツ記録装置が提供される。【００１６】
かかる構成においては、視聴制限が設定されているコンテンツデータが記憶部の専用フォルダに記録部により記録され、視聴制限が設定されていないコンテンツデータが記憶部の通常フォルダに記録部により記録される。したがって、制御部は、認証部により利用者が正当な権限を有することが認証された場合に専用フォルダに記録されているコンテンツデータを出力することにより、視聴制限が設定されているコンテンツデータの視聴を制限することができる。【００１７】
また、上記課題を解決するために、本発明の別の観点によれば、コンテンツデータを記録するコンテンツ記録装置と接続されるコンテンツ受信装置であって、前記コンテンツデータを受信する受信部と、前記コンテンツデータに視聴制限が設定されている場合に前記コンテンツデータの記録先として専用フォルダを指定し、前記コンテンツデータに視聴制限が設定されていない場合に前記コンテンツデータの記録先として通常フォルダを指定する記録フォルダ指定部と、前記コンテンツ記録装置に内蔵される記憶媒体の、前記記録フォルダ指定部により指定されたフォルダに前記コンテンツデータが記録されるように、該コンテンツデータを送信する送信部と、を備えるコンテンツ受信装置が提供される。【００１８】
かかる構成においては、コンテンツ記録装置に、視聴制限が設定されているコンテンツデータを専用フォルダに記録させ、視聴制限が設定されていないコンテンツデータを通常フォルダに記録させることができる。
【発明の効果】
【００１９】
以上説明したように本発明にかかるコンテンツ記録システム、コンテンツ記録方法、コンテンツ記録装置、およびコンテンツ受信装置によれば、視聴制限が設定されているコンテンツデータと視聴制限が設定されていないコンテンツデータを異なるフォルダに記録することができる。
【図面の簡単な説明】
【００２０】
【図１】本実施形態にかかるホームネットワークの構成をコンテンツ送信システムの一例として示した説明図である。
【図２】ホームネットワークが適用された住宅の間取りの具体例を示した説明図である。
【図３】本実施形態にかかる受信機の構成を示した機能ブロック図である。
【図４】受信機の表示画面生成部により生成されるコンテンツの予約画面を示した説明図である。
【図５】本実施形態にかかるコンテンツ記録装置の構成を示した機能ブロック図である。
【図６】本実施形態にかかる再生装置の構成を示した機能ブロック図である。
【図７】表示部に表示されるコンテンツリスト画面の具体例を示した説明図である。
【図８】コンテンツデータが指定されたフォルダへ記録されるまでの流れを示したシーケンス図である。
【図９】受信機の動作の流れを示したフローチャートである。
【図１０】コンテンツ記録装置がコンテンツデータを記録するまでの流れを示したフローチャートである。
【図１１】コンテンツ記録装置がコンテンツデータの送信を制御する流れを示したフローチャートである。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。【００２２】
また、以下に示す項目順序に従って当該「発明を実施するための最良の形態」を説明する。
〔１〕本実施形態にかかるホームネットワークの概要
〔２〕本実施形態に至る経緯
〔３〕ホームネットワークを構成する受信機の機能
〔４〕ホームネットワークを構成するコンテンツ記録装置の機能
〔５〕ホームネットワークを構成する再生装置の機能
〔６〕本実施形態にかかるホームネットワークの動作
〔７〕まとめ【００２３】
〔１〕本実施形態にかかるホームネットワークの概要
まず、図１および図２を参照し、本実施形態にかかるホームネットワーク１について概略的に説明する。【００２４】
図１は、本実施形態にかかるホームネットワーク１の構成をコンテンツ送信システムの一例として示した説明図である。図１に示したように、ホームネットワーク１は、ルータ１４と、受信機１６と、表示装置１８Ａおよび１８Ｂと、コンテンツ記録装置２０と、再生装置３０Ａ〜３０Ｃを備える。なお、図１においては、各再生装置を区別するために、再生装置３０Ａ〜３０Ｃのように符号の後に大文字のアルファベットを付しているが、各再生装置を特に区別する必要が無い場合、単に再生装置３０と総称する。表示装置１８Ａおよび１８Ｂについても同様に、表示装置１８Ａおよび１８Ｂを特に区別する必要が無い場合、単に表示装置１８と総称する。【００２５】
ルータ１４は、コンテンツデータが記憶されており、コンテンツデータを配信、送信、または提供することが可能なコンテンツサーバ１０と通信網１２を介して接続されている。コンテンツデータとしては、音楽、講演およびラジオ番組などの音楽データや、映画、テレビジョン番組、ビデオプログラム、写真、文書、絵画および図表などの映像データや、ゲームおよびソフトフェアなどの任意のデータがあげられる。【００２６】
また、通信網１２は、通信網１２に接続されている装置から送信される情報の有線、または無線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。【００２７】
受信機１６は、任意の方法によりコンテンツデータを受信するコンテンツ受信装置である。例えば、受信機１６は、ルータ１４を介してコンテンツサーバ１０にコンテンツリストの送信を要求し、該要求に応じてコンテンツサーバ１０から送信されたコンテンツリストを受信する。そして、受信機１６は、受信したコンテンツリストを表示装置１８Ａに表示し、利用者により選択されたコンテンツデータの送信をルータ１４を介してコンテンツサーバ１０に要求する。その後、該要求に応じてコンテンツサーバ１０から送信されたコンテンツデータを受信することができる。【００２８】
また、受信機１６は、地上波デジタル放送、ケーブルＴＶ放送、ＢＳ（Ｂｒｏａｄｃａｓｔｉｎｇ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などの任意の放送によりコンテンツデータを受信してもよい。受信機１６は、このように受信したコンテンツデータをコンテンツ記録装置２０へ送信する。なお、ホームネットワークを構成する各装置は、有線で接続されていても、無線で接続されていてもよい。【００２９】
また、図１においては受信機１６およびコンテンツ記録装置２０が分離構成されている場合を示しているが、受信機１６およびコンテンツ記録装置２０は一体構成されていてもよい。同様に、図１においてはコンテンツ記録装置２０および再生装置３０が分離構成されている場合を示しているが、コンテンツ記録装置２０および再生装置３０は一体構成されていてもよい。さらに、図１においては受信機１６および再生装置３０が分離構成されている場合を示しているが、受信機１６および再生装置３０は一体構成されていてもよい。【００３０】
コンテンツ記録装置２０は、受信機１６から送信されたコンテンツデータを内蔵する記憶部（２５０）に記憶するコンテンツ送信装置としての機能を有する。また、コンテンツ記録装置２０は、再生装置３０に対して、要求のあったコンテンツデータを送信することができる。ただし、本実施形態にかかるコンテンツ記録装置２０は、後述の専用フォルダに記録されているコンテンツデータの送信は所定の条件を満たした場合にのみ行なう。このようなコンテンツ記録装置２０の詳細については、「〔４〕ホームネットワークを構成するコンテンツ記録装置の機能」において後述する。【００３１】
再生装置３０は、コンテンツ記録装置２０からコンテンツデータを取得して再生するコンテンツ再生装置としての機能を有する。図１においては、再生装置３０の一例としてモニタを示しているが、再生装置３０は、ＰＣ（Ｐｅｒｓｏｎａｌ  Ｃｏｍｐｕｔｅｒ）、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器などの情報処理装置であってもよい。当該再生装置３０の詳細な機能については、「〔５〕ホームネットワークを構成する再生装置の機能」において後述する。【００３２】
続いて、上記説明した当該ホームネットワーク１が適用される住宅の具体例を、図２を参照して説明する。【００３３】
図２は、ホームネットワーク１が適用された住宅の間取りの具体例を示した説明図である。図２に示したように、当該住宅は、リビングルーム４２と、子供部屋４４と、両親の寝室４６を有する。【００３４】
リビングルーム４２には、受信機１６、コンテンツ記録装置２０、および再生装置３０Ａが配置されている。また、子供部屋４４には再生装置３０Ｂが配置されており、寝室４６には再生装置３０Ｃが配置されている。【００３５】
図２に示したように各再生装置３０が異なる部屋に存在しても、ホームネットワーク１によれば、コンテンツ記録装置２０に記憶されているコンテンツデータを各再生装置３０が共有し、再生することができる。【００３６】
〔２〕本実施形態に至る経緯
以上、図１および図２を参照して本実施形態にかかるホームネットワーク１について概略的に説明した。続いて、本実施形態に至った経緯を説明する。【００３７】
コンテンツデータには、暴力や性描写が含まれる場合、当該コンテンツデータを例えば１８歳未満の子供に視聴させないために年齢制限が設定されている。かかる年齢制限としては、１５歳未満の子供による視聴を禁止するＲ（Ｒｅｓｔｒｉｃｔｅｄ）１５、１８歳未満の子供による視聴を禁止するＲ１８などがあげられる。したがって、子供が利用するコンテンツ再生装置に年齢制限を設定し、年齢制限が設定されているコンテンツ再生装置へ年齢制限が設定されているコンテンツデータが送信されないようにすれば、子供を不適切なコンテンツデータから保護することができる。【００３８】
しかし、両親が子供に視聴させたくないコンテンツデータに視聴制限が設定されていなかった場合、該コンテンツデータの子供による視聴が制限されなかった。また、コンテンツデータに自動的に視聴制限を設定する方法も考えられるが、両親の意向に沿って視聴制限が設定されないことが懸念された。【００３９】
さらに、実際に利用者からコンテンツリストやコンテンツデータの送信を要求された場合、従来のコンテンツ記録装置は、コンテンツデータごとに視聴制限が設定されているか否かを判断する必要あった。【００４０】
そこで、上記事情を一着眼点にして本実施形態にかかるホームネットワーク１を創作するに至った。本実施形態にかかるホームネットワーク１によれば、視聴制限が設定されているコンテンツデータと視聴制限が設定されていないコンテンツデータを異なるフォルダに記録することができる。以下、このようなホームネットワーク１に含まれる各構成について詳細に説明する。【００４１】
〔３〕ホームネットワークを構成する受信機の機能
図３は、本実施形態にかかる受信機１６の構成を示した機能ブロック図である。図３に示したように、当該受信機１６は、受信部１１０と、ＣＰＵ（Ｃｅｎｔｒａｌ  Ｐｒｏｃｅｓｓｉｎｇ  Ｕｎｉｔ）１２０と、デコーダ１３０と、入出力インターフェース１４０と、メモリ１５０と、ネットワーク接続部１６０と、を備える。【００４２】
受信部１１０は、任意の方法により外部からコンテンツデータを受信する。例えば、受信部１１０は、地上波デジタル放送、ケーブルＴＶ放送、ＢＳデジタル放送、ＣＳデジタル放送などの任意の放送によりコンテンツデータを受信してもよい。【００４３】
ＣＰＵ１２０は、例えば表示画面生成部１２２、予約設定部１２４、フォルダ指定部１２６、および送信制御部１２８などの機能が実装され、受信機１６による動作全般を制御する。かかるＣＰＵ１２０は、図３においては描写を省略しているが、ＲＯＭ（Ｒｅａｄ  Ｏｎｌｙ  Ｍｅｍｏｒｙ）に記憶されているプログラムに基づいて、ＲＡＭ（Ｒａｎｄｏｍ  Ａｃｃｅｓｓ  Ｍｅｍｏｒｙ）を作業領域として動作してもよい。【００４４】
デコーダ１３０は、受信部１１０、またはネットワーク接続部１６０により受信されたコンテンツデータをデコードする。そして、受信機１６に接続されている表示装置１８ＡＡに表示させることができる。デコーダ１３０がデコードするコンテンツデータのフォーマットとしては、例えば、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２またはＭＰＥＧ４などの画像圧縮形式や、ＭＰ３（ＭＰＥＧ１  Ａｕｄｉｏ  Ｌａｙｅｒ−３）、ＡＡＣ（Ａｄｖａｎｃｅｄ  Ａｕｄｉｏ  Ｃｏｄｉｎｇ）、ＬＰＣＭ（Ｌｉｎｅａｒ  ＰＣＭ）、ＷＭＡ９（Ｗｉｎｄｏｗｓ（登録商標）  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などの音声圧縮形式があげられる。【００４５】
入出力インターフェース１４０は、受信機１６の利用者とのインタフェースである。入出力インターフェース１４０は、タッチパネル、ボタン、スイッチ、レバー、ダイヤルや、リモートコントローラが発生する赤外線信号用の受光部あるいは無線信号の受信部などからなる操作手段と、この操作手段に対する利用者からの操作に応じて操作信号を生成してＣＰＵ１２０に出力する入力制御回路などから構成されている。受信機１６の利用者は、この入出力インターフェース１４０を操作することにより、受信機１６に対して各種のデータを入力したり、各種処理を指示したりすることができる。各種処理としては、例えば、コンテンツデータの予約設定、コンテンツ転送指示コンテンツデータの再生／一時停止／早送り／巻き戻し／音量調整などがあげられる。【００４６】
メモリ１５０は、コンテンツデータの予約設定などの各種データを記憶する記憶媒体である。このようなメモリ１５０は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｎｄｏｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。【００４７】
ネットワーク接続部１６０は、ホームネットワーク１に含まれる他の装置との有線または無線のインターフェースであって、他の装置から各種データを受信する受信部および他の装置へ各種データを送信する送信部として機能する。例えば、ネットワーク接続部１６０は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａ、ｂ、ｇなどに規定される無線通信機能を有してもよいし、ＩＥＥＥ８０２．１１ｎに規定されるＭＩＭＯ（Ｍｕｌｔｉｐｌｅ  Ｉｎｐｕｔ  Ｍｕｌｔｉｐｌｅ  Ｏｕｔｐｕｔ）通信機能を有してもよい。さらに、ネットワーク接続部１６０は、ＩＥＥＥ８０２．３に規定される有線ＬＡＮに対応する通信機能を有してもよい。【００４８】
続いて、ＣＰＵ１２０に実装される機能について詳細に説明する。【００４９】
表示画面生成部１２２は、利用者から入出力インターフェース１４０への入力に応じ、各種の表示画面を生成し、生成した表示画面を表示装置１８Ａに表示させる。例えば、利用者によりコンテンツデータの録画予約を要求されると、表示画面生成部１２２は、図４に示すコンテンツ予約画面６０を生成する。【００５０】
図４は、受信機１６の表示画面生成部１２２により生成されるコンテンツの予約画面６０を示した説明図である。図４に示したコンテンツの予約画面６０は、任意の方法により特定のコンテンツデータが予約対象として選択された後に表示される画面である。任意の方法としては、ＥＰＧ（Ｅｌｅｃｔｒｏｎｉｃ  Ｐｒｏｇｒａｍ  Ｇｕｉｄｅ）、またはコンテンツデータが放送されるチャンネルと日時の指定などがあげられる。【００５１】
図４に示したように、コンテンツの予約画面６０は、視聴制限選択表示６２、ＯＫボタン６４、およびキャンセルボタン６６を含む。受信機１６の利用者は、視聴制限選択表示６２において、予約対象のコンテンツデータに視聴制限を設定するか否かを選択することができる。【００５２】
また、コンテンツの予約画面６０においてＯＫボタン６４が選択されると、予約設定部１２４が、視聴制限選択表示６２において選択されている内容で予約対象のコンテンツデータの予約を設定し、メモリ１５０に記録する。図４に示した例では、予約設定部１２４は、２００８／０２／２２の１９：００〜２１：００までｘｘＣＨで放送される、「ワールドサッカー２００８」を、視聴制限せずに録画予約する。【００５３】
フォルダ指定部１２６は、録画予約されたコンテンツデータなどが受信部１１０により受信されると、コンテンツ記録装置２０における該コンテンツデータの記録先を指定する記録フォルダ指定部としての機能を有する。詳細については後述するが、コンテンツ記録装置２０に内蔵される記憶部２５０には、論理的に分離された通常フォルダと専用フォルダが含まれる。フォルダ指定部１２６は、コンテンツデータの記録先として、上記通常フォルダ、または専用フォルダを指定する。【００５４】
例えば、フォルダ指定部１２６は、録画予約時に利用者により「視聴予約する。」と選択されていた場合、コンテンツデータの記録先として専用フォルダを指定する。一方、フォルダ指定部１２６は、録画予約時に利用者により「視聴制限しない。」と選択されていた場合、コンテンツデータの記録先として通常フォルダを指定してもよい。または、フォルダ指定部１２６は、録画予約時に利用者により「視聴制限しない。」と選択されており、コンテンツデータに視聴制限が設定されていれば記録先として専用フォルダを指定し、視聴制限が設定されていなければ記録先として通常フォルダを指定してもよい。【００５５】
また、フォルダ指定部１２６は、録画予約時に特に利用者により視聴制限に関する選択がされていなかった場合、コンテンツデータに視聴制限が設定されているか否かに基づいて記録先のフォルダを指定してもよい。また、実際にコンテンツデータをコンテンツ記録装置２０へ送信する際に表示画面生成部１２２が記録先の選択画面を生成し、フォルダ指定部１２６は該選択画面において利用者により選択されたフォルダを記録先として指定してもよい。【００５６】
送信制御部１２８は、フォルダ指定部１２６により指定されたコンテンツ記録装置２０の記録先のフォルダへコンテンツデータが記録されるよう、ネットワーク接続部１６０からのコンテンツデータの送信を制御する。例えば、送信制御部１２８は、コンテンツデータをネットワーク接続部１６０から送信する前に、ネットワーク接続部１６０から記録先のフォルダを示す情報をコンテンツ記録装置２０へ送信してもよい。または、送信制御部１２８は、ネットワーク接続部１６０からのコンテンツデータの送信時に、記録先のフォルダを示す情報をコンテンツデータに付加してもよい。【００５７】
また、送信制御部１２８は、コンテンツ記録装置２０に専用フォルダが設けられているか否かを確認してもよい。そして、送信制御部１２８は、コンテンツ記録装置２０に専用フォルダが設けられていない場合、フォルダ指定部１２６により専用フォルダを指定されたコンテンツデータの送信を行なわなくてもよい。かかる構成においては、フォルダ指定部１２６により専用フォルダを指定されたコンテンツデータの視聴をより確実に制限することができる。【００５８】
〔４〕ホームネットワークを構成するコンテンツ記録装置の機能
以上、図３および図４を参照して本実施形態にかかる受信機１６の機能について説明した。続いて、図５を参照し、本実施形態にかかるコンテンツ記録装置２０の機能について説明する。【００５９】
図５は、本実施形態にかかるコンテンツ記録装置２０の構成を示した機能ブロック図である。図５に示したように、当該コンテンツ記録装置２０は、ネットワーク接続部２１０と、ＣＰＵ２３０と、記憶部２５０と、入出力インターフェース２６０と、を備える。【００６０】
ネットワーク接続部２１０は、ホームネットワーク１に含まれる他の装置との有線または無線のインターフェースであって、他の装置から各種データを受信する受信部および他の装置へ各種データを送信する送信部として機能する。例えば、ネットワーク接続部２１０は、受信機１６からコンテンツデータを受信したり、再生装置３０へコンテンツデータを送信したりする。また、ネットワーク接続部２１０は、受信機１６のネットワーク接続部１６０と同様に、ＩＥＥＥ８０２．１１ａ、ｂ、ｇなどに規定される無線通信機能を有してもよいし、ＩＥＥＥ８０２．１１ｎに規定されるＭＩＭＯ通信機能を有してもよい。さらに、ネットワーク接続部２１０は、ＩＥＥＥ８０２．３に規定される有線ＬＡＮに対応する通信機能を有してもよい。【００６１】
ＣＰＵ２３０は、例えば表示画面生成部２３２、記録部２３４、暗号化部２３６、認証部２３８、および制御部２４０の機能が実装され、コンテンツ記録装置２０の動作全般を制御する。図５においては描写を省略しているが、ＣＰＵ２３０は、ＲＯＭに記憶されているプログラムに基づいて、ＲＡＭを作業領域として動作してもよい。【００６２】
記憶部２５０は、受信機１６からネットワーク接続部２１０により受信されたコンテンツデータが記録される記憶媒体である。かかる記憶部２５０には、論理的に分離されたコンテンツデータの記録領域である通常フォルダおよび専用フォルダが含まれる。【００６３】
このような記憶部２５０は、例えば、受信機１６のメモリ１５０と同様に、ＥＥＰＲＯＭ、ＥＰＲＯＭなどの不揮発性メモリや、ハードディスクおよび円盤型磁性体ディスクなどの磁気ディスクや、ＣＤ−Ｒ／ＲＷ、ＤＶＤ−Ｒ／ＲＷ／＋Ｒ／＋ＲＷ／ＲＡＭおよびＢＤ（Ｂｌｕ−Ｒａｙ  Ｄｉｓｃ（登録商標））―Ｒ／ＢＤ−ＲＥなどの光ディスクや、ＭＯディスクなどの記憶媒体であってもよい。【００６４】
入出力インターフェース２６０は、コンテンツ記録装置２０の利用者とのインタフェースであって、入力部としての機能を有する。入出力インターフェース２６０は、タッチパネル、ボタン、スイッチ、レバー、ダイヤルや、リモートコントローラが発生する赤外線信号用の受光部あるいは無線信号の受信部などからなる操作手段と、この操作手段に対する利用者からの操作に応じて操作信号を生成してＣＰＵ２３０に出力する入力制御回路などから構成されている。コンテンツ記録装置２０の利用者は、この入出力インターフェース２６０を操作することにより、コンテンツ記録装置２０に対して各種のデータを入力したり、各種処理を指示したりすることができる。【００６５】
デコーダ２７０は、記憶部２５０から読み出されたコンテンツデータをデコードし、表示装置１８Ｂに表示させる。または、デコーダ２７０は、受信機１６からのコンテンツデータの受信時にコンテンツデータをデコードし、記憶部２５０にデコードされたコンテンツデータ記録されるようにしてもよい。【００６６】
続いて、ＣＰＵ２３０に実装される機能について詳細に説明する。【００６７】
表示画面生成部２３２は、利用者からの要求に応じて各種表示画面を生成し、生成した表示画面を表示装置１８Ｂに表示させてもよい。例えば、専用フォルダに記録されているコンテンツデータのコンテンツ記録装置２０における再生が要求された場合、表示画面生成部２３２はパスワードの入力画面を生成してもよい。【００６８】
記録部２３４は、受信機１６からネットワーク接続部２１０により受信されたコンテンツデータを、記憶部２５０に記録する。ここで、記録部２３４は、受信機１６のフォルダ指定部１２６により指定されたフォルダにコンテンツデータを記録する。例えば、記録部２３４は、受信機１６のフォルダ指定部１２６により専用フォルダが指定されているコンテンツデータは専用フォルダに記録し、受信機１６のフォルダ指定部１２６により通常フォルダが指定されているコンテンツデータは通常フォルダに記録する。【００６９】
ここで、記録部２３４は、専用フォルダが指定されているコンテンツデータは、暗号化部２３６により暗号化された後に専用フォルダに記録してもよい。かかる構成においては、不当に記憶部２５０の専用フォルダからコンテンツデータが読み出された場合であっても、該コンテンツデータは暗号化されているため、該コンテンツデータの流出および不当な視聴を防止することができる。【００７０】
認証部２３８は、専用フォルダに記録されているコンテンツデータの再生が要求された場合、利用者が正当な権限を有するか否かの認証を行なう。認証部２３８による利用者の認証処理は、例えば、利用者にパスワードの入力を要求し、入力されたパスワードが記憶部２５０に記憶されているパスワードと一致するか否かに基づいて認証を行なうパスワード方式であってもよい。または、認証処理は、利用者にＩＣカードの近接操作を要求し、近接されたＩＣカードが記憶部２５０に記憶されたＩＣカード情報と一致するか否かに基づいた認証を行なう媒体認証方式であってもよい。その他、認証処理は、利用者の音声を利用する音声認証方式、利用者の網膜の模様に基づく網膜認証方式、利用者の顔の形に基づく顔認証方式などであってもよい。【００７１】
なお、専用フォルダまたは通常フォルダに記録されているコンテンツデータは、コンテンツ記録装置２０における再生が要求されても、再生装置３０における再生が要求されてもよい。【００７２】
制御部２４０は、コンテンツデータの再生が要求された場合、要求されたコンテンツデータを記憶部２５０から出力させるか否かを制御する。より詳細に説明すると、制御部２４０は、要求されたコンテンツデータが通常フォルダに記録されている場合、該コンテンツデータには視聴制限が設定されていないため、該コンテンツデータをデコーダ２７０、または再生装置３０へ出力させる。【００７３】
一方、制御部２４０は、要求されたコンテンツデータが専用フォルダに記録されている場合、該コンテンツデータには視聴制限が設定されているため、認証部２３８により利用者が正当な権限を有すると認証されたか否かに応じて記憶部２５０からの出力を制御する。ここで、制御部２４０は、各コンテンツデータに視聴制限が設定されているか否かを、コンテンツデータごとに確認せず、専用フォルダに記録されているか否かに基づいて判断することができる。このため、コンテンツ記録装置２０の内部処理および利用者による操作の単純化を図ることができる。さらに、受信機１６において視聴制限の有無の判断およびフォルダ指定を行なうため、受信システムやコンテンツデータのフォーマットの違いなどによる判定の誤りの発生を防止できる。【００７４】
〔５〕ホームネットワークを構成する再生装置の機能
以上、図５を参照して本実施形態にかかるコンテンツ記録装置２０の機能について説明した。続いて、本実施形態にかかる再生装置３０の機能について図６および図７を参照して説明する。【００７５】
図６は、本実施形態にかかる再生装置３０の構成を示した機能ブロック図である。図６に示したように、当該再生装置３０は、ネットワーク接続部３１０と、入出力インターフェース３２０と、ＣＰＵ３３０と、デコーダ３４０と、表示部３５０と、を備える。【００７６】
ネットワーク接続部３１０は、ホームネットワーク１に含まれる他の装置との有線または無線のインターフェースであって、他の装置から各種データを受信する受信部および他の装置へ各種データを送信する送信部として機能する。例えば、ネットワーク接続部３１０は、受信機１６のネットワーク接続部１６０と同様に、ＩＥＥＥ８０２．１１ａ、ｂ、ｇなどに規定される無線通信機能を有してもよいし、ＩＥＥＥ８０２．１１ｎに規定されるＭＩＭＯ通信機能を有してもよい。さらに、ネットワーク接続部３１０は、ＩＥＥＥ８０２．３に規定される有線ＬＡＮに対応する通信機能を有してもよい。【００７７】
入出力インターフェース３２０は、再生装置３０の利用者とのインタフェースである。入出力インターフェース３２０は、タッチパネル、ボタン、スイッチ、レバー、ダイヤルや、リモートコントローラが発生する赤外線信号用の受光部あるいは無線信号の受信部などからなる操作手段と、この操作手段に対する利用者からの操作に応じて操作信号を生成してＣＰＵ３３０に出力する入力制御回路などから構成されている。再生装置３０の利用者は、この入出力インターフェース３２０を操作することにより、再生装置３０に対して各種のデータを入力したり、各種処理を指示したりすることができる。各種処理としては、例えば、コンテンツリストからのコンテンツデータの選択、コンテンツデータの再生／一時停止／早送り／巻き戻し／音量調整などがあげられる。【００７８】
ＣＰＵ３３０は、例えば応答部３３２およびコンテンツ取得部３３４などの機能が実装され、再生装置３０による動作全般を制御する。かかるＣＰＵ３３０は、図３においては描写を省略しているが、ＲＯＭ（Ｒｅａｄ  Ｏｎｌｙ  Ｍｅｍｏｒｙ）に記憶されているプログラムに基づいて、ＲＡＭ（Ｒａｎｄｏｍ  Ａｃｃｅｓｓ  Ｍｅｍｏｒｙ）を作業領域として動作してもよい。【００７９】
応答部３３２は、ホームネットワーク１内の装置からの各種要求に対する応答を行なう。例えば、コンテンツ記録装置２０がホームネットワーク１に存在する再生装置３０を把握するために応答要求を送信した場合、応答部３３２は自装置がホームネットワーク１に存在する旨を示す応答をネットワーク接続部３１０を介して行なう。【００８０】
コンテンツ取得部３３４は、コンテンツデータをコンテンツ記録装置２０から取得するまでの一連の処理を行う。例えば、コンテンツ取得部３３４は、現在取得可能なコンテンツデータの一覧を示すコンテンツリストの送信をコンテンツ記録装置２０に対して要求する。ここで、コンテンツ記録装置２０は、該要求に応じ、通常フォルダに記録されているコンテンツデータを示すコンテンツリストを送信する。さらに、コンテンツ記録装置２０は、認証部２３８により利用者が正当な権限を有すると認証された場合、専用フォルダに記録されているコンテンツデータを示すコンテンツリストを送信する。【００８１】
そして、コンテンツ取得部３３４は、コンテンツ記録装置２０から送信されたコンテンツリストが受信されると、コンテンツリストのうちから入出力インターフェース３２０を介して利用者に選択されたコンテンツデータの送信をコンテンツ記録装置２０に要求する。その後、再生装置３０は、コンテンツ取得部３３４からの要求に応じてコンテンツ記録装置２０から送信されたコンテンツデータを取得することができる。したがって、本実施形態にかかる再生装置３０は、利用者が正当な権限を有する場合に限り、専用フォルダに記録されているコンテンツデータを取得して再生することができる。  【００８２】
デコーダ３４０は、コンテンツ記録装置２０から送信されたコンテンツデータをデコードする。そして、表示部３５０が、デコーダ３４０によりデコードされたコンテンツデータを表示する。デコーダ３４０がデコードするコンテンツデータのフォーマットデータとしては、例えば、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２またはＭＰＥＧ４などの画像圧縮形式や、ＭＰ３（ＭＰＥＧ１  Ａｕｄｉｏ  Ｌａｙｅｒ−３）、ＡＡＣ（Ａｄｖａｎｃｅｄ  Ａｕｄｉｏ  Ｃｏｄｉｎｇ）、ＬＰＣＭ（Ｌｉｎｅａｒ  ＰＣＭ）、ＷＭＡ９（Ｗｉｎｄｏｗｓ（登録商標）  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などの音声圧縮形式があげられる。また、表示部３５０は、図７に示すように、上述したコンテンツリストを示すコンテンツリスト画面５０も表示する。【００８３】
図７は、表示部３５０に表示されるコンテンツリスト画面５０の具体例を示した説明図である。図４に示したように、コンテンツリスト画面５０は、各コンテンツデータに対応するサムネイル５２Ａ〜５２Ｃ、概略情報５４Ａ〜５４Ｃ、および再生ボタン５６Ａ〜５６Ｃを含む。【００８４】
再生装置３０の利用者は、図７に示したコンテンツリスト画面５０において、例えばタイトル名が「ワールドサッカー２００８」であるコンテンツデータの再生ボタン５６Ａを入出力インターフェース３２０を介して選択することができる。再生装置３０の利用者により再生ボタン５６Ａが選択されると、コンテンツ取得部３３４がタイトル名が「ワールドサッカー２００８」であるコンテンツデータの送信をコンテンツ記録装置２０に対して要求する。その後、コンテンツ記録装置２０から送信されたタイトル名が「ワールドサッカー２００８」であるコンテンツデータをデコーダ３４０がデコードし、デコーダ３４０によりデコードされたコンテンツデータを表示部３５０が表示する。なお、表示部３５０は、音声を出力するスピーカやイヤホンなどの音声出力部としての機能を含んでいてもよい。【００８５】
〔６〕本実施形態にかかるホームネットワークの動作
次に、本実施形態にかかるホームネットワーク１の動作について図８〜図１１を参照して説明する。【００８６】
図８は、コンテンツデータが指定されたフォルダへ記録されるまでの流れを示したシーケンス図である。図８に示したように、まず、受信機１６へ利用者からコンテンツデータの転送、または録画予約を指示されると（Ｓ４０４）、受信機１６は、ホームネットワーク１に含まれるコンテンツ記録装置２０に対して応答要求を送信する（Ｓ４０８）。ホームネットワーク１内に存在するコンテンツ記録装置２０は、受信機１６から応答要求を受信すると、コンテンツ記録装置２０のＩＰアドレスを含む応答を受信機１６に対して行なう（Ｓ４１２）。【００８７】
続いて、受信機１６は、コンテンツ記録装置２０に対し、応答に含まれていたＩＰアドレスに基づいてコンテンツ記録装置２０の装置情報の送信を要求する（Ｓ４１６）。コンテンツ記録装置２０は、装置情報の送信が要求されると、受信機１６へコンテンツ記録装置２０の機能や機器名称などを含む装置情報を送信する（Ｓ４２０）。【００８８】
その後、受信機１６は、入出力インターフェース１４０を介して利用者によりコンテンツデータ、コンテンツ記録装置２０、および記録先のフォルダが指定されると、コンテンツ記録装置２０に対して記録先のフォルダを通知する（Ｓ４２４）。コンテンツ記録装置２０は、通知されたフォルダを有する場合、その旨を示す応答を行なう（Ｓ４２８）。【００８９】
そして、受信機１６の送信制御部１２８は、ネットワーク接続部１６０からコンテンツデータの送信を開始させる（Ｓ４３２）。さらに、コンテンツ記録装置２０は、受信機１６から受信されたコンテンツデータの、指定されたフォルダへの記録を開始する（Ｓ４３６）。続いて、受信機１６からのコンテンツデータの送信が終了すると（Ｓ４４０）、コンテンツ記録装置２０はコンテンツデータの記録を終了する（Ｓ４４４）。【００９０】
図９は、受信機１６の動作の流れを示したフローチャートである。図９に示したように、受信機１６は、利用者により録画予約の設定がされると（Ｓ５０４）、コンテンツ記録装置２０の装置情報を取得し（Ｓ５０８）、メモリ１５０に録画予約の内容（チャンネル、時間、視聴制限の有無など）を保存する（Ｓ５１２）。【００９１】
そして、録画開始時間になると（Ｓ５１６）、利用者により視聴制限が設定されていない場合（Ｓ５２０）、フォルダ指定部１２６がコンテンツデータに設定されている年齢制限に基づいて記録先フォルダを決定する（Ｓ５２４）。また、フォルダ指定部１２６は、利用者により視聴制限が設定されている場合、記録先フォルダとして専用フォルダを決定する。【００９２】
その後、フォルダ指定部１２６は、コンテンツ記録装置２０に対して決定した記録先フォルダを指定し（Ｓ５２８）、送信制御部１２８がネットワーク接続部１６０からのコンテンツデータの転送を開始する（Ｓ５３２）。【００９３】
図１０は、コンテンツ記録装置２０がコンテンツデータを記録するまでの流れを示したフローチャートである。図１０に示したように、コンテンツ記録装置２０は、受信機１６から応答要求があると（Ｓ６０４）、受信機１６に対して自装置がホームネットワーク１に存在する旨を示す応答をする（Ｓ６０８）。【００９４】
続いて、コンテンツ記録装置２０は、受信機１６から装置情報の送信が要求されると（Ｓ６１２）、装置機能や機器名称などを受信機１６へ送信する（Ｓ６１６）。さらに、コンテンツ記録装置２０は、受信機１６からコンテンツデータの記録先フォルダが指定されると（Ｓ６２０）、受信機１６に該指定に対する応答を行なう（Ｓ６２４）。【００９５】
その後、コンテンツ記録装置２０は受信機１６からコンテンツデータを受信し、該コンテンツデータを指定されたフォルダに記録する（Ｓ６２８）。このようなコンテンツデータの記録は、受信機１６からのコンテンツデータの転送が終了するまで続けられる（Ｓ６３２）。【００９６】
図１１は、コンテンツ記録装置２０がコンテンツデータの送信を制御する流れを示したフローチャートである。図１１に示したように、コンテンツ記録装置２０は、再生装置３０からコンテンツデータの再生が要求されると（Ｓ７０４）、該コンテンツデータが専用フォルダに記録されているコンテンツデータである場合（Ｓ７０８）、利用者に対してパスワードを要求する（Ｓ７１２）。【００９７】
そして、コンテンツ記録装置２０は、利用者により入力されたパスワードが既定のパスワードと一致する場合（Ｓ７１６）、該コンテンツデータを再生装置３０に転送し、再生装置３０において該コンテンツデータが再生される（Ｓ７２０）。【００９８】
〔７〕まとめ【００９９】
以上説明したように、本実施形態によれば、視聴制限が設定されているコンテンツデータが専用フォルダに記録され、視聴制限が設定されていないコンテンツデータが通常フォルダに記録される。したがって、制御部２４０は、認証部２３８により利用者が正当な権限を有することが認証された場合に専用フォルダに記録されているコンテンツデータを出力することにより、視聴制限が設定されているコンテンツデータの視聴を制限することができる。【０１００】
また、受信機１６は、専用フォルダを有さないコンテンツ記録装置２０に対しては視聴制限が設定されているコンテンツデータが送信されないよう制御する。したがって、視聴制限が設定されているコンテンツデータの視聴をより確実に制限することができる。【０１０１】
さらに、コンテンツ記録装置２０は、受信機１６から専用フォルダを指定して送信されたコンテンツデータを暗号化する暗号化部２３６を備える。したがって、不当に記憶部２５０の専用フォルダからコンテンツデータが読み出された場合であっても、該コンテンツデータは暗号化されているため、該コンテンツデータの流出および不当な視聴を防止することができる。【０１０２】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。かかる構成においては、より柔軟にコンテンツデータの視聴を制限することができる。【０１０３】
例えば、上記実施形態では、コンテンツ記録装置２０の記憶部２５０が通常フォルダと専用フォルダを含む例を説明したが、本発明はかかる例に限定されない。例えば、記憶部２５０は、コンテンツデータの年齢制限に応じた複数のフォルダを有してもよい。そして、フォルダごとに異なるパスワードが要求されるようにしてもよい。
【０１０４】
また、本明細書のホームネットワーク１の処理における各ステップは、必ずしもフローチャート、またはシーケンス図として記載された順序に沿って時系列に処理する必要はない。例えば、ホームネットワーク１の処理における各ステップは、並列的あるいは個別に実行される処理（例えば、並列処理あるいはオブジェクトによる処理）を含んでもよい。【０１０５】
また、コンテンツ記録装置２０のＣＰＵ２３０を、ＲＯＭおよびＲＡＭなどのハードウェアと協働し、表示画面生成部２３２、記録部２３４、暗号化部２３６、認証部２３８および制御部２４０として機能させるためのコンピュータプログラムも作成可能である。また、該コンピュータプログラムを記憶させた記憶媒体も提供される。また、表示画面生成部２３２、記録部２３４、暗号化部２３６、認証部２３８および制御部２４０をハードウェアで構成することで、コンテンツ記録装置２０における一連の処理をハードウェアで実現することもできる。【０１０６】
さらに、受信機１６のＣＰＵ１２０を、ＲＯＭおよびＲＡＭなどのハードウェアと協働し、表示画面生成部１２２、予約設定部１２４、フォルダ指定部１２６、および送信制御部１２８として機能させるためのコンピュータプログラムも作成可能である。また、該コンピュータプログラムを記憶させた記憶媒体も提供される。また、表示画面生成部１２２、予約設定部１２４、フォルダ指定部１２６、および送信制御部１２８をハードウェアで構成することで、受信機１６における一連の処理をハードウェアで実現することもできる。
【図１】
2009113610.tif 000003
【図２】
2009113610.tif 000004
【図３】
2009113610.tif 000005
【図４】
2009113610.tif 000006
【図５】
2009113610.tif 000007
【図６】
2009113610.tif 000008
【図７】
2009113610.tif 000009
【図８】
2009113610.tif 000010
【図９】
2009113610.tif 000011
【図１０】
2009113610.tif 000012
【図１１】
2009113610.tif 000013
【国際調査報告】
2009113610.tif 000014
2009113610.tif 000015